(57)【要約】      （修正有）【課題】動物用の水飲み器として、特に気温の高い時期において入れ置いた水の温度上昇を長時間にわたって抑制でき、暑さに弱い犬等の動物に水を飲み易くして充分な水分補給で暑さを乗り切るのを容易にし、構造的に簡素で安価に得られる動物用水飲み器を提供する。【解決手段】上方に開放した水収容凹部１０を有する水容器１Ａと、袋入り又はプラスチックケース入りの保冷剤２と、この保冷剤２を水容器１Ａの水収容凹部１０の底部裏面側に当接する状態に保持させる保冷剤容器３Ａとを備えてなる。【選択図】図１
0003138500.tif 000002
【実用新案登録請求の範囲】
【請求項１】
上方に開放した水収容凹部を有する水容器と、袋入り又はプラスチックケース入りの保冷剤と、この保冷剤を前記水容器の水収容凹部の底部裏面側に当接する状態に保持させる保冷剤保持手段とを備えてなる動物用水飲み器。
【請求項２】
前記水容器が外周裾部の下縁を接地部とする円錐台形をなし、その上面側に設けた水収容凹部が裏面側で下方突出部を形成すると共に、前記の保冷剤保持手段が該下方突出部に着脱し得る保冷剤容器からなる請求項１に記載の動物用水飲み器。
【請求項３】
前記の下方突出部に嵌着された保冷剤容器が水容器の前記接地部よりも高位で非接地状態になるように構成されてなる請求項２に記載の動物用水飲み器。
【請求項４】
前記の下方突出部に保冷剤容器が螺合嵌着するように構成されてなる請求項２又は３に記載の動物用水飲み器。
【請求項５】
前記の保冷剤保持手段が上方に開放した保冷剤収容凹部を有する保冷剤容器からなり，その保冷剤収容凹部に保冷剤を収容した該保冷剤容器上に、前記水容器が水収容凹部を該保冷剤収容凹部に嵌入して載置されるように構成されてなる請求項１に記載の動物用水飲み器。
【請求項６】
前記保冷剤容器が外周裾部の下縁を接地部とする円錐台形をなし、その上面側に形成される保冷剤収容凹部が裏面側で下方突出部を構成してなる請求項５に記載の動物用水飲み器。
【請求項７】
前記保冷剤容器における下方突出部の下端が前記接地部よりも高位にある請求項６に記載の動物用水飲み器。
【請求項８】
前記の保冷剤保持手段が前記水容器の水収容凹部の底部裏面側に形成された保冷剤収容部からなる請求項１に記載の動物用水飲み器。
【請求項９】
前記水容器が可撓性シートにて形成され、前記の保冷剤保持手段が該水容器の水収容凹部の底部裏面側に形成されたポケットからなる請求項１に記載の動物用水飲み器。
【考案の詳細な説明】
【技術分野】
【０００１】
本考案は、ペットとして飼われる犬猫等の動物用の水飲み器、特に犬用として好適な水飲み器に関する。
【背景技術】
【０００２】
周知のように、犬は足裏の肉球部以外に汗腺を持たないため、運動した後や夏期のように気温が高いときは、大きく口を開けて舌を垂らしてハアハアと息をすることで主に口腔内の水分を蒸発させ、その気化熱による冷却作用で体温上昇を抑えている。しかるに、このような体温調節機構は人間や馬のような発汗による体温調節に比べて効率が格段に劣るから、概して犬は寒さよりも暑さを苦手にしている。
【０００３】
従って、気温の高い時期には、暑さに弱い犬にとって、頻繁な水分補給が必要になるが、特に屋外に置かれた水飲み容器中の水は日射や外気温ですぐに温まってしまい、喉が乾いていても飲めなくなるため、体温調節がうまく行かずに衰弱に至ることが往々にしてあった。
【０００４】
従来、犬猫等の動物用の水飲み器として、水面に浮く抜け毛を排除するようにしたもの（特許文献１）や、水質改善用の薬剤を入れるようにしたもの（特許文献１、２）等が提案されているが、上述のような水温上昇の問題については配慮されていない。また、ペット動物用の水を電気的に冷却する装置もあるが、大掛かりである上に高価であるために一般には普及していない。
【特許文献１】特開２００６−３３３８６０号公報
【特許文献２】特開２００５−１１０５２２号公報
【特許文献３】特開２００５−２９５９８１号公報
【考案の開示】
【考案が解決しようとする課題】
【０００５】
本考案は、上述の情況に鑑み、動物用の水飲み器として、特に気温の高い時期において入れ置いた水の温度上昇を長時間にわたって抑制でき、もって暑さに弱い犬等の動物に水を飲み易くし、充分な水分補給で暑さを乗り切るのを容易にすると共に、構造的に簡素で安価に得られるものを提供することを目的としている。
【課題を解決するための手段】
【０００６】
上記目的を達成するための手段を図面の参照符号を付して示せば、請求項１の考案に係る動物用水飲み器は、上方に開放した水収容凹部１０を有する水容器１Ａ〜１Ｅと、袋入り又はプラスチックケース入りの保冷剤２と、この保冷剤２を水容器１Ａ〜１Ｅの水収容凹部１０の底部裏面側に当接する状態に保持させる保冷剤保持手段（保冷剤容器３Ａ〜３Ｃ、保冷剤収容部６、ポケット７）とを備えてなるものとしている。
【０００７】
請求項２の考案は、上記請求項１の動物用水飲み器において、水容器１Ａが外周裾部１１の下縁を接地部１１ａとする円錐台形をなし、その上面側に設けた水収容凹部１０が裏面側で下方突出部１２を形成すると共に、保冷剤保持手段が該下方突出部１２に着脱し得る保冷剤容器３Ａからなるものとしている。
【０００８】
請求項３の考案は、上記請求項１の動物用水飲み器において、下方突出部１２に嵌着された保冷剤容器３Ａが水容器１の接地部１１ａよりも高位で非接地状態になるように構成されている。
【０００９】
請求項４の考案は、上記請求項２又は３の動物用水飲み器において、下方突出部１２に保冷剤容器３Ａが螺合嵌着するように構成されてなる。
【００１０】
請求項５の考案は、上記請求項１の動物用水飲み器において、保冷剤保持手段が上方に開放した保冷剤収容凹部３０を有する保冷剤容器３Ｂ，３Ｃからなり，その保冷剤収容凹部３０に保冷剤２を収容した該保冷剤容器３Ｂ，３Ｃ上に、水容器１Ｂ，１Ｅが水収容凹部１０を該保冷剤収容凹部３０に嵌入して載置されるように構成されてなる。
【００１１】
請求項６の考案は、上記請求項５の動物用水飲み器において、保冷剤容器３Ｂが外周裾部３１の下縁を接地部３１ａとする円錐台形をなし、その上面側に形成される保冷剤収容凹部３０が裏面側で下方突出部を構成するものとしている。
【００１２】
請求項７の考案は、上記請求項６の動物用水飲み器において、保冷剤容器３Ｂにおける下方突出部３２の下端が接地部３１ａよりも高位にあるものとしている。
【００１３】
請求項８の考案は、上記請求項１の動物用水飲み器において、保冷剤保持手段が前記水容器１Ｃの水収容凹部１０の底部裏面側に形成された保冷剤収容部６，７からなるものとしている。
【００１４】
請求項９の考案は、上記請求項１の動物用水飲み器において、水容器１Ｄが可撓性シートにて形成され、保冷剤保持手段が該水容器１Ｄの水収容凹部１０の底部裏面側に形成されたポケット７からなるものとしている。
【考案の効果】
【００１５】
次に、本考案の効果について、図面の参照符号を付して説明する。まず、請求項１の考案に係る動物用水飲み器によれば、水容器１Ａ〜１Ｅの水収容凹部１０の底部裏面側に保冷剤２を当接して保持できるから、その水収容凹部１０に入れた水Ｗを該保冷剤２の冷却作用によって継続的に冷やすことができる。従って、気温の高い夏期の屋外でも、水収容凹部１０に汲み置きした水Ｗが温まるのを長時間にわたって抑制でき、もって犬等のペット動物は水Ｗを飲み易くなって充分な水分補給で暑さを乗り切ることが容易になる。また、水飲み器全体として構成的に簡素であることに加え、該保冷剤２として適当なサイズの市販品を利用できるから、製品コストを低く抑えることができると共に、使用者側でも保冷剤２を家庭用電気冷蔵庫の冷凍室等で凍らせて繰り返し使用できるので経済的負担が少なくて済む。
【００１６】
請求項２の考案によれば、上記の動物用水飲み器において、水容器１Ａが外周裾部１１の下縁を接地部１１ａとする円錐台形をなし、その水収容凹部１０が裏面側で形成する下方突出部１２に保冷剤容器３Ａを着脱するようにしているから、保冷剤２の収容部分と水容器１Ａの外周裾部１１との間に外部と遮断された空間が構成され、この空間内の空気による断熱・保温効果により、保冷剤２の冷却作用がより長く持続することになる。
【００１７】
請求項３の考案によれば、上記の動物用水飲み器において、下方突出部１２に嵌着された保冷剤容器３Ａが非接地状態になるから、水飲み器を置いた地面等の接地面と保冷剤容器３Ａとの間の直接的な伝熱が阻止され、それだけ保冷剤２の冷却作用がより長く持続することになる。
【００１８】
請求項４の考案によれば、上記の動物用水飲み器において、水容器１Ａの下方突出部１２に対し、保冷剤容器３Ａを螺合によって安定状態に嵌着できると共に、保冷剤２の交換に際して該保冷剤容器３Ａを捻回操作で容易に着脱できる。
【００１９】
請求項５の考案に係る動物用水飲み器では、その使用に際し、保冷剤容器３Ｂ，３Ｃの上方に開放した保冷剤収容凹部３０に保冷剤２を収容し、この保冷剤容器３Ｂ，３Ｃ上に水容器１Ｂ，１Ｅを重ねるように載置すればよいから、操作的に極めて簡単である。
【００２０】
請求項６の考案によれば、上に水容器１Ｂを重ねて載置するようにした上記の保冷剤容器３Ｂが外周裾部３１の下縁を接地部３１ａとする円錐台形をなし、その上面側に形成した保冷剤収容凹部３０が裏面側で下方突出部３２を構成するから、保冷剤２が入った該下方突出部３２と外周裾部３１との間に外部と遮断された空間が構成され、この空間内の空気による断熱・保温効果により、保冷剤２の冷却作用がより長く持続することになる。
【００２１】
請求項７の考案によれば、上記の保冷剤容器３Ｂにおける下方突出部３２の下端が非接地状態になるから、水飲み器を置いた地面等の接地面と下方突出部３２との間の直接的な伝熱が阻止され、それだけ保冷剤２の冷却作用がより長く持続することになる。
【００２２】
請求項８の考案によれば、水容器１Ｃの水収容凹部１０の底部裏面側に設けた保冷剤収容部６に保冷材２を収容できるから、該水容器１Ｃと保冷材２のみで水飲み器を構成でき、それだけ取扱い性が向上すると共に、構成部材の散乱や紛失も生じにくくなる。
【００２３】
請求項９の考案によれば、上記同様に水容器１Ｄの水収容凹部１０の底部裏面側に設けたポケット７に保冷材２を収容できるから、該水容器１Ｄと保冷材２のみで水飲み器を構成できることに加え、水容器１Ｄが可撓性シートにて形成されて折畳み可能であるから、収納や持ち運びの際に嵩張らず、取扱い性が更に向上するという利点がある。
【考案を実施するための最良の形態】
【００２４】
以下、本考案に係る動物用水飲み器の実施形態について、図面を参照して具体的に説明する。図１及び図２は第一実施形態、図３及び図４は第二実施形態、図５〜図７は第三実施形態、図８は第四実施形態、図９は第五実施形態、をそれぞれ示す。なお、これら第一〜第五実施形態の水飲み器で機能的に共通する構成要素については、重複した説明を避けるために同一符号を付している。
【００２５】
図１及び図２で示す第一実施形態の動物用水飲み器Ｔ１は、上面側に上方へ開放した水収容凹部１０を有する円錐台形の水容器１Ａと、粘性液状の保冷剤組成物２０をプラスチック袋２１に封入した保冷剤２と、上方へ開放した保冷剤収容凹部３０を有する単純なカップ形の保冷剤容器３Ａとで構成されている。
【００２６】
そして、水容器１Ａは、外周裾部１１の若干鍔状をなす下縁が接地部１１ａとなり、上方へ拡径する水収容凹部１０が裏面側で下方へ縮径した下方突出部１２を構成すると共に、この下方突出部１２の外周面の下部寄りの位置に、複数本（図では４本）の螺旋凸条４…が周方向に等配形成されている。一方、保冷剤容器３Ａは、水容器１Ａの下方突出部１２に対応して上方へ拡径しており、その内周面つまり保冷剤収容凹部３０の上部寄りの位置には、複数個（図では４個）の横長の凸起５…が周方向に等配形成されている。
【００２７】
この第一実施形態の動物用水飲み器Ｔ１では、保冷剤容器３Ａの保冷剤収容凹部３０内に保冷剤２を装填し、この保冷剤容器３Ａを水容器１Ａの下方突出部１２に外嵌して時計回り方向に捻回することにより、該保冷剤容器３Ａの凸起５…が水容器１Ａの下方突出部１２の螺旋凸条４…上に乗り上げ、螺合緊締する形で該保冷剤容器３Ａが下方突出部１２に嵌着すると共に、当該保冷剤容器３Ａ内の保冷剤２が下方突出部１２の底面に当接し、図２に示す組付け形態となる。しかして、この組付け形態では、水容器１Ａの下方突出部１２に嵌着した保冷剤容器３Ａは、その下端が水容器１Ａの接地部１１ａよりも高位に持ち上がった非接地状態になるように寸法設定されている。
【００２８】
図３及び図４で示す第二実施形態の動物用水飲み器Ｔ２は、上方へ開放した水収容凹部１０を有する単純なカップ形の水容器１Ｂと、前記第一実施形態と同様の保冷剤２と、上面側に上方へ開放した保冷剤収容凹部３０を有する円錐台形の保冷剤容器３Ｂとで構成されている。
【００２９】
そして、保冷剤容器３Ｂは、前記第一実施形態における水容器１Ａのように、外周裾部３１の若干鍔状をなす下縁が接地部３１ａとなり、上方へ拡径する保冷剤収容凹部３０が裏面側で下方へ縮径した下方突出部３２を構成し、この下方突出部３２の下端が接地部３１ａよりも高位置になっている。一方、水容器１Ｂは、上方へ拡径して、その上端周縁が外向きの鍔部１３を形成しており、保冷剤容器３Ｂの保冷剤２を装填した保冷剤収容凹部３０に対して上方から内嵌することにより、図４の組付け形態として示すように、その水収容凹部１０の底部裏面側に保冷剤２が当接すると共に、鍔部１３が保冷剤収容凹部３０の上端縁に係止する。
【００３０】
上述した第一及び第二実施形態の動物用水飲み器Ｔ１，Ｔ２では、水容器１Ａ，１Ｂの水収容凹部１０の底部裏面側に保冷剤２が当接し、その冷却作用によって気温の高い夏期の屋外でも水収容凹部１０に入れた水Ｗの温度上昇を長時間にわたって抑制できるから、ペット動物にとって水Ｗが冷たくて飲み易く、特に暑さに弱い犬は充分な水分補給で夏期を乗り切ることが容易になる。また、水飲み器全体として構成的に簡素であることに加え、保冷剤２は家庭用電気冷蔵庫の冷凍室等で凍らせることによって繰り返し使用できるので、使用者側の経済的負担が少なくて済むと共に、該保冷剤２として適当なサイズの市販品を利用できるから、製品コストを低く抑えることができる。
【００３１】
そして、第一実施形態の水飲み器Ｔ１では水容器１Ａが、第二実施形態の水飲み器Ｔ２では保冷剤容器３Ｂが、それぞれ外周裾部１１，３１の下縁を接地部１１ａ，３１ａとする円錐台形をなし、前者の水収容凹部１０ならびに後者の保冷剤収容凹部３０が裏面側で下方突出部１２，３２を形成するから、保冷剤２の収容部分と外周裾部１１，３１との間に外部と遮断された空間が構成され、この空間内の空気による断熱・保温効果により、保冷剤２の冷却作用がより長く持続する。更に、水飲み器Ｔ１の下方突出部１２に螺着した保冷剤容器３Ａの底部裏面側、ならびに水飲み器Ｔ２の下方突出部３２の底部裏面側はいずれも非接地状態になるから、水飲み器Ｔ１，Ｔ２を置いた地面等の接地面との間の直接的な伝熱も阻止され、それだけ保冷剤２の冷却作用がより長く持続することになる。
【００３２】
本考案においては、保冷剤を水容器の水収容凹部の底部裏面側に対して当接状態に保持させる保冷剤保持手段として、上述した第一及び第二実施形態のように保冷剤容器３Ａ，３Ｂを用いる代わりに、後述する第三及び第四実施形態の動物用水飲み器Ｔ３，Ｔ４のように水容器自体に保冷剤収容部を設けてもよい。すなわち、このような保冷剤収容部に保冷剤を装填することにより、その冷却作用で水容器に入れた水の温度上昇を同様に抑制できる。
【００３３】
図５〜図７で示す第三実施形態の動物用水飲み器Ｔ３では、水容器１Ｃが前記第一実施形態における水容器１Ａと同様に円錐台形をなし、その上面側で上方へ拡径して開放した水収容凹部１０が裏面側で下方突出部１２を構成するが、この下方突出部１２の底部裏面側に、長手方向両端が開放した横長手角筒状の保冷剤収容部６が一体形成されており、この保冷剤収容部６に保冷剤２を装填するようになっている。しかして、この保冷剤収容部６は、底部裏面側が外周裾部１１の接地部１１ａよりも高位置で非接地状態になるように設定され、もって接地面との間の直接的な伝熱による保冷剤２の昇温を防止している。また、水容器１Ｃの外周裾部１１の径方向両側位置には、略中間高さより下方側を所定幅で切除した切欠開口部１４，１４が形成され，保冷剤収容部６の開放した両端が両切欠開口部１４，１４に臨んでおり、これによって保冷剤収容部６に対する保冷剤２の出し入れを容易にしている。
【００３４】
図８で示す第四実施形態の動物用水飲み器Ｔ４は、合成樹脂含浸織布の如き非透水性の可撓性シート１５ａからなる水容器１Ｄの底部裏面側に、同様の可撓性シート１５ｂからなるポケット７が設けてあり、このポケット７に保冷剤２を収容するようになっている。この水飲み器Ｔ４では、円形や楕円形の可撓性シート１５ａを周辺側で所要間隔置きに折り重ね、周縁に縁布１６を縫い付けて水容器１Ｄとしての立体的な器状形態とし、その底部裏面側にポケット７の可撓性シート１５ｂを入口部（図示省略）を除く周辺で融着しているから、不使用時には全体を折り畳んで嵩張らない形で保管できる。
【００３５】
なお、前記第三実施形態の水飲み器Ｔ３では水容器１Ｃの下方突出部１２の底部裏面側に保冷剤収容部６を一体形成しているが、このような保冷剤収容部をヒンジで開閉する構造としたり、抽斗式にスライドさせる構造としてもよい。また、前記第四実施形態の水飲み器Ｔ４のような保冷剤収容部のポケット６をホックやボタンを介して水容器１Ｄに止着する構造も採用できる。
【００３６】
本考案の動物用水飲み器は、上述した第一〜第四実施形態以外の様々な構成が可能である。その最も簡素な構成として、例えば図９で示す第五実施形態の動物用水飲み器Ｔ５のように、単純な容器形態の２個を保冷剤を挟んで上下に嵌合状態に積み重ねたものがある。この第五実施形態の水飲み器Ｔ５は、共に上方へ拡径して開く単純な容器形態で、上端周縁が外向きの鍔部１７，３３をなす略同様寸法の水容器１Ｅ及び保冷剤容器３Ｃと、保冷剤２とで構成されており、保冷剤収容部３０に保冷剤２を装填した保冷剤容器３Ｃ上に水容器１Ｅを単に重ね置くことにより、水容器１Ｅの水収容凹部１０に入れた水Ｗがその底部裏面側に当接する保冷剤２によって冷やされる。なお、保冷剤容器３Ｃの底面側には接地部として環状突縁３４が設けてあり、これによって接地面との伝熱抑制と環状突縁３４の内側空気層による断熱保温を図っている。
【００３７】
なお、保冷剤２としては、例示したような袋入り形態の他、保冷剤組成物２０を厚板状の合成樹脂ケースに封入した形態もある。また、実施形態の保冷剤２は市販品として一般的な角形袋入りになっているが、水容器の水収容凹部の底部裏面側に対する接触面積を大きく取る上で、例えば円盤型等、保冷剤容器や保冷剤収容部に合わせた形態の袋やケースに封入したものも好適である。
【００３８】
保冷剤２に用いる保冷剤組成物２０は、極めて多種類のものが知られているが、一般的にポリビニルアルコール、水溶性セルロースエーテル類、水溶性ポリエーテルポリウレタン等の水溶性高分子や、カラギーナン、キサンタンガム、グアーガム等の多糖類を含むゲル状の粘性水溶液からなり、これに冷凍状態での柔軟性を付与するための様々な有機及び無機の添加剤を配合したものがある。しかして、本考案では、家庭用電気冷蔵庫の冷凍室げて凍らせて反復使用できるものであれば、保冷剤として市販されるものをいずれも支障なく使用できる。
【００３９】
また、前記第一〜第三及び第五実施形態の動物用水飲み器Ｔ１〜Ｔ３，Ｔ５の水容器１Ａ〜１Ｃ，１Ｅや保冷剤容器３Ａ〜３Ｃの材質としては、特に制約はなく、硬質ないし半硬質プラスチック、金属、セラミック、陶器等のいずれをも採用できる。
【００４０】
更に、前記第一実施形態の動物用水飲み器Ｔ１のように水容器の下方突出部にカップ状の保冷剤容器を嵌着する手段としては、螺合方式に限らず、例えば一方の周面にＬ字状の溝を設け、他方の対向する周面に該溝に嵌入する凸部を設け、この凸部が溝の垂直部に嵌入した状態で保冷剤容器を昇降し、溝の水平部に凸部を入り込ませる形で当該保冷剤容器が下方突出部に係止されるように設定してもよい。
【図面の簡単な説明】
【００４１】
【図１】本考案に係る第一実施形態の動物用水飲み器の一部破断分解斜視図。
【図２】同第一実施形態の動物用水飲み器の縦断面図。
【図３】同第二実施形態の動物用水飲み器の一部破断分解斜視図。
【図４】同第二実施形態の動物用水飲み器の縦断面図。
【図５】同第三実施形態の動物用水飲み器の正面図。
【図６】同第三実施形態の動物用水飲み器の縦断面図。
【図７】同第三実施形態の動物用水飲み器の底面図。
【図８】同第四実施形態の動物用水飲み器の縦断面図。
【図９】同第五実施形態の動物用水飲み器の縦断面図。
【符号の説明】
【００４２】
１Ａ〜１Ｅ  水容器
１０        水収容凹部
１１        外周裾部
１１ａ      接地部
１２        下方突出部
１５ａ      可撓性シート
２          保冷剤
３Ａ〜３Ｃ  保冷剤容器
３０        保冷剤収容凹部
３１        外周裾部
３１ａ      接地部
３２        下方突出部
６          保冷剤収容部
７          ポケット
Ｔ１〜Ｔ５  動物用水飲み器
Ｗ          水
【図１】
0003138500.tif 000003
【図２】
0003138500.tif 000004
【図３】
0003138500.tif 000005
【図４】
0003138500.tif 000006
【図５】
0003138500.tif 000007
【図６】
0003138500.tif 000008
【図７】
0003138500.tif 000009
【図８】
0003138500.tif 000010
【図９】
0003138500.tif 000011